(57)【要約】      （修正有）【課題】中間部の外縁の遠用部または近用部においてシリンダーパワーが小さな領域を広く確保する眼用レンズおよびその関連技術を提供する。【解決手段】中間部において、中央から周辺に向かうＸ方向で見た時に、中間部の外縁に環状に配された、遠用部の遠用度数または近用部の近用度数よりも度数を強めた後に弱めた部分Ａを有し、且つ、Ｘ方向とは正反対の方向であって中央から周辺に向かうＸ’方向で見た時にも、中間部の外縁に環状に配された、遠用部の遠用度数または近用部の近用度数よりも度数を強めた後に弱めた部分Ａ’を有する。【選択図】図４
2020060707.tif 000002
【特許請求の範囲】
【請求項１】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズであって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有する、眼用レンズ。
【請求項２】
前記光学部においては前記遠用部が前記中間部の外縁に環状に配され、
前記部分ＡのＸ方向および前記部分Ａ’のＸ’方向においては前記遠用度数よりも遠用へと度数を強めた後に遠用度数に至るまで度数を弱めた形状を有する、請求項１に記載の眼用レンズ。
【請求項３】
Ｘ方向およびＸ’方向で見た時にシリンダーパワー（単位：ディオプター）が以下の各条件を満たす、請求項２に記載の眼用レンズ。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
【請求項４】
前記近用度数と前記遠用度数との差に対する、前記部分Ａおよび前記部分Ａ’における度数の極小値と前記遠用度数との差の割合は、０．１５以上且つ１．０以下である、請求項２または３に記載の眼用レンズ。
【請求項５】
前記光学部においては前記近用部が前記中間部の外縁に環状に配され、
前記部分ＡのＸ方向および前記部分Ａ’のＸ’方向においては前記近用度数よりも近用へと度数を強めた後に近用度数に至るまで度数を弱めた形状を有する、請求項１に記載の眼用レンズ。
【請求項６】
Ｘ方向およびＸ’方向で見た時にシリンダーパワー（単位：ディオプター）が以下の各条件を満たす、請求項５に記載の眼用レンズ。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【請求項７】
前記近用度数と前記遠用度数との差に対する、前記部分Ａおよび前記部分Ａ’における度数の極大値と前記近用度数との差の割合は、０．１５以上且つ１．０以下である、請求項５または６に記載の眼用レンズ。
【請求項８】
中央に配された前記近用部または前記遠用部は、前記眼用レンズの光学中心を含むように設けられた、請求項１〜７のいずれかに記載の眼用レンズ。
【請求項９】
前記眼用レンズはコンタクトレンズである、請求項１〜８のいずれかに記載の眼用レンズ。
【請求項１０】
前記眼用レンズは眼内レンズである、請求項１〜８のいずれかに記載の眼用レンズ。
【請求項１１】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズの設計方法であって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有するように眼用レンズを設計する、眼用レンズの設計方法。
【請求項１２】
前記光学部においては前記遠用部を前記中間部の外縁に環状に配し、
前記部分ＡのＸ方向および前記部分Ａ’のＸ’方向においては前記遠用度数よりも遠用へと度数を強めた後に遠用度数に至るまで度数を弱めるように眼用レンズを設計する、請求項１１に記載の眼用レンズの設計方法。
【請求項１３】
Ｘ方向およびＸ’方向で見た時にシリンダーパワー（単位：ディオプター）が以下の各条件を満たす、請求項１２に記載の眼用レンズの設計方法。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
【請求項１４】
前記近用度数と前記遠用度数との差に対する、前記部分Ａおよび前記部分Ａ’における度数の極小値と前記遠用度数との差の割合を、０．１５以上且つ１．０以下とする、請求項１２または１３に記載の眼用レンズの設計方法。
【請求項１５】
前記光学部においては前記近用部を前記中間部の外縁に環状に配し、
前記部分ＡのＸ方向および前記部分Ａ’のＸ’方向においては前記近用度数よりも近用へと度数を強めた後に近用度数に至るまで度数を弱めるように眼用レンズを設計する、請求項１１に記載の眼用レンズの設計方法。
【請求項１６】
Ｘ方向およびＸ’方向で見た時にシリンダーパワー（単位：ディオプター）が以下の各条件を満たす、請求項１５に記載の眼用レンズの設計方法。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【請求項１７】
前記近用度数と前記遠用度数との差に対する、前記部分Ａおよび前記部分Ａ’における度数の極大値と前記近用度数との差の割合を、０．１５以上且つ１．０以下とする、請求項１５または１６に記載の眼用レンズの設計方法。
【請求項１８】
中央に配された前記近用部または前記遠用部は、前記眼用レンズの光学中心を含むように設けられた、請求項１１〜１７のいずれかに記載の眼用レンズの設計方法。
【請求項１９】
前記眼用レンズはコンタクトレンズである、請求項１１〜１８のいずれかに記載の眼用レンズの設計方法。
【請求項２０】
前記眼用レンズは眼内レンズである、請求項１１〜１８のいずれかに記載の眼用レンズの設計方法。
【請求項２１】
請求項１１〜２０のいずれかに記載の眼用レンズの設計方法によって眼用レンズを設計する設計工程と、
設計された眼用レンズを加工装置により製造する加工工程と、
を有する、眼用レンズの製造方法。
【請求項２２】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズを複数備える眼用レンズセットであって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有する眼用レンズを複数備える、眼用レンズセット。
【発明の詳細な説明】
【技術分野】
【０００１】
本発明は眼用レンズ、その設計方法、その製造方法、および眼用レンズセットに関する。
【背景技術】
【０００２】
眼用レンズとしては、例えばコンタクトレンズや眼内レンズ等が知られている（本明細書においては眼用レンズとしては眼鏡レンズは除く）。例えばコンタクトレンズには、１枚のレンズで近方距離を見るための近用度数と遠方距離を見るための遠用度数を確保するマルチフォーカルコンタクトレンズ（多焦点レンズ）が存在する。この多焦点レンズの構成としては、例えばレンズの中央に近用度数を備えた近用部を配し、その外縁に対し、度数変化をもたらす中間部を環状に配し、その外縁に対し、遠用度数を備えた遠用部を環状に配する構成が挙げられる（例えば特許文献１の［図１］［図２］）。その逆に、レンズの中央に遠用度数を備えた遠用部を配し、その外縁に対し、度数変化をもたらす中間部を環状に配し、その外縁に対し、近用度数を備えた近用部を環状に配する構成も知られている（例えば特許文献２の［図１２］）。
【先行技術文献】
【特許文献】
【０００３】
【特許文献１】特表２００６−５０５０１１号公報
【特許文献２】国際公開第２００６／１２９７０７号公報
【発明の概要】
【発明が解決しようとする課題】
【０００４】
本発明の課題を説明する前に、光学部について説明を加える。なお、以降においてはマルチフォーカルコンタクトレンズ（多焦点レンズ。単にレンズとも称する。）であってレンズの中央に近用度数を備えた近用部を配し、その外縁に対し、度数変化をもたらす中間部を環状に配し、その外縁に対し、遠用度数を備えた遠用部を環状に配する多焦点レンズをあくまで一例として例示する。
【０００５】
図１は、従来の多焦点レンズを平面視した概略図である。
図１では、レンズの前面（凸面）を上にしてレンズを水平台に載置した際に光軸方向において天地の天の方向から地の方向を見ている。平面視については以降同様とする。平面視した際のレンズ上の距離のことを平面視距離と称する。符号１は近用部、符号２は遠用部、符号３は中間部、符号４は光学部、符号５は周辺部、符号６はマルチフォーカルコンタクトレンズを指す。以降、符号は省略する。
【０００６】
図１に示すように、レンズの光学中心Ｏを同心として中央に近用部、その外縁に環状の中間部、更にその外縁に遠用部を配する。本例では光学中心Ｏを幾何中心と一致させる。こうして近用部、中間部および遠用部を有する光学部が構成される。そして光学部の更に外縁に環状の周辺部を有する。周辺部はレンズを角膜上に載置した際に瞼の裏に入り込みやすいフランジ形状を有するのが通常である。つまり光学部と周辺部により本例のレンズは構成される。ただし、光学部と周辺部とは各々が上記の機能を奏するために区別されているのであって、光学部と周辺部との間に段差等のように目視で確認可能な明確な境目があるわけではない。
【０００７】
以下、本発明の課題について説明する。
【０００８】
本明細書におけるスフェリカルパワー（球面度数：Ｓｐｈｅｒｉｃａｌ  Ｐｏｗｅｒ）は、レンズの中央から周辺に向かう方向すなわち径方向（メリジオナル方向、またはタンジェンシャル方向とも言う。）の屈折力と、径方向に垂直な方向すなわち周方向（サジタル方向）の屈折力との平均値である。球面度数のプロットをパワー分布とも言う。また、以降、球面度数のことを遠用度数または単に度数とも言う。そして本明細書における度数プロットは、後面を球面とし、前面の形状を調整することにより得ている。
【０００９】
図２は、従来のマルチフォーカルコンタクトレンズ（中心近用）の光学部をＸ−Ｘ’方向の端Ｆ２から端Ｆ２’まで見た時の度数をプロットした図である。遠用度数（球面度数）Ｓは０Ｄ（単位：ディオプター［Ｄ］）、近用度数（Ｓ＋ＡＤＤ）は＋２．００Ｄ、乱視度数Ｃは０Ｄに設定している。つまり、従来のレンズの加入度数ＡＤＤは＋２．００Ｄである。本明細書において「加入度数」とは、近用度数から遠用度数を引いた値である。横軸は、レンズを平面視した際のＸ−Ｘ’における光学中心Ｏからの距離（単位：ｍｍ）を示す。縦軸は、レンズの球面度数（単位：ディオプター［Ｄ］）を示す。以降、球面度数をプロットした図については同様とする。
【００１０】
なお、図２のプロットを得るために光線追跡を用いた光学設計解析ソフトウェア（Ｚｅｍａｘ  ＯｐｔｉｃＳｔｕｄｉｏ：Ｚｅｍａｘ，ＬＬＣ製）を使用した。アパーチャ径は８．０ｍｍに設定し、光の波長は５５０ｎｍとした。以降、本明細書においては特記無い限り同様とする。
【００１１】
ちなみにこの従来のレンズでは、近用部を中央に配置し、遠用部を中間部の外縁に環状に配置している。以降、このタイプのレンズのことを「中心近用」と称する。逆に、遠用部を中央に配置し、近用部を中間部の外縁に環状に配置したタイプのレンズのことを「中心遠用」と称する。
【００１２】
図３は、図２のレンズの光学部をＸ−Ｘ’方向の端Ｆ２から端Ｆ２’まで見た時のシリンダーパワーをプロットした図である。横軸は、レンズを平面視した際のＸ−Ｘ’における光学中心Ｏからの距離（単位：ｍｍ）を示す。縦軸は、シリンダーパワー（Ｃｙｌｉｎｄｅｒ  Ｐｏｗｅｒ）（単位：ディオプター［Ｄ］）を示す。以降、シリンダーパワーをプロットした図については同様とする。
【００１３】
本明細書において「シリンダーパワー」とは非点収差の大きさを示す。「非点収差」とは、メリジオナル方向またはタンジェンシャル方向（以降にて記載するＸ方向およびＸ’方向）の度数と、サジタル方向の度数との差の絶対値を指す。シリンダーパワーが大きいと、レンズの装用者が視認する像が不明瞭となる。
【００１４】
図２および図３において、Ｆ２−Ｆ１およびＦ２’−Ｆ１’が遠用部であり、Ｆ１−ＮおよびＦ１’−Ｎ’が中間部であり、Ｎ−Ｎ’が近用部である。
【００１５】
従来のレンズだと、レンズの中央から周辺に向かって見た時、近用度数から遠用度数に向けて度数が減少する。この度数変化に伴い、シリンダーパワーが生じる（図３の矢印α、α’部分）。本来ならば、度数変化が小さくなる遠用部では、シリンダーパワーが減少するはずである。しかしながら従来のレンズではそうはならないことを本発明者は知見した（図３の矢印β、β’部分）。
【００１６】
具体的に言うと、レンズの中央から周辺に向かって（以降、単に径方向とも言う。）見た時、中間部を通過して遠用部に至っても、中間部で生じたシリンダーパワーが速やかに減少せず、その外縁の遠用部において比較的大きなシリンダーパワーが存在することを本発明者は知見した。
【００１７】
大きなシリンダーパワーは不明瞭な像の原因の一つである。そのため、外縁に存在する遠用部においてはシリンダーパワーが小さな領域を広く確保するのが好ましい。
【００１８】
本発明の課題は、中間部の外縁の遠用部または近用部においてシリンダーパワーが小さな領域を広く確保することである。
【課題を解決するための手段】
【００１９】
本発明者は、従来のレンズだと中間部で生じたシリンダーパワーが速やかに減少しない理由について検討した。
【００２０】
この理由としては、図１にて挙げた従来のマルチフォーカルコンタクトレンズだと、近用部、中間部および遠用部を同心円状に形成していることが挙げられる。
【００２１】
すなわち、マルチフォーカルコンタクトレンズにおいて、中央から周辺に向かって径方向（メリジオナル）の曲率を変更する際には自由度が高い。だからこそ近用部、中間部、遠用部を経て度数変化を実現できる。
【００２２】
その一方、径方向に垂直な周方向（サジタル）の曲率の変化は、径方向に比べ、自由度が低い。これは、近用部、中間部および遠用部を同心円状に形成し、しかも連続したレンズ表面（滑らかなレンズ表面）を形成するという制約があるためである。
【００２３】
中央から周辺に向かって見た時、レンズ中央に配された近用部は球面に近い形状を維持可能であり、径方向の曲率と周方向の曲率の相違は小さく、シリンダーパワーは自ずと少ない。
【００２４】
ところが度数が変化する中間部だと、中央から周辺に向かって径方向の曲率は度数と同様に変化する一方、周方向の曲率は近用部の曲率からあまり変化しない。この傾向は、中間部を通過して遠用部に到達したとしても維持される。そのため、従来のレンズだと径方向の曲率と周方向の曲率との間に乖離（すなわちシリンダーパワー）が生じ、遠用部においてもその乖離が大きく維持される。その結果、中間部で生じたシリンダーパワーが速やかに減少せず、度数変化が小さいはずの遠用部でも、中間部で生じたシリンダーパワーを引きずることとなる。
【００２５】
上記の知見を基に、本発明者は鋭意検討を加えた。その結果、中間部において、中央から周辺に向かって見た時、レンズにて設定された加入度数よりも大きく度数を減少（中央が遠用部の場合は増加）させ、その後、度数を増加（中央が遠用部の場合は、度数を減少）させる、という手法を想到した。
【００２６】
上記の手法ならば、レンズ中央に近用部が配され且つ近用部の外縁の中間部の更に外縁に遠用部が配された場合、レンズにて設定された加入度数よりも大きく度数を減少させることにより、径方向の曲率が大きく減少するのみならず周方向の曲率も比較的大きく減少する。そのうえで度数を増加させることにより、周方向の曲率はあまり変化しない一方で、径方向の曲率が増加し、径方向と周方向との曲率差を小さくすることが可能となる。
【００２７】
逆に、レンズ中央に遠用部が配され且つ遠用部の外縁の中間部の更に外縁に近用部が配された場合、レンズにて設定された加入度数よりも大きく度数を増加させることにより、径方向の曲率が大きく増加するのみならず周方向の曲率も比較的大きく増加する。そのうえで度数を減少させることにより、周方向の曲率はあまり変化しない一方で、径方向の曲率が減少し、径方向と周方向との曲率差を小さくすることが可能となる。
【００２８】
つまり、上記手法により、周方向の曲率を径方向の曲率に近づかせることが可能となる。このようにすることで、外縁にある部分（例：遠用部）のシリンダーパワーを０にする、または０に近づけることが可能となる。
【００２９】
以上の知見を得た結果、以降に記載された本発明の構成を採用するに至った。なお、以下に示す好適な各態様は適宜組み合わせ可能である。
【００３０】
本発明の第１の態様は、
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズであって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有する、眼用レンズである。
【００３１】
本発明の第２の態様は、第１の態様に記載の態様であって、
前記光学部においては前記遠用部が前記中間部の外縁に環状に配され、
前記部分ＡのＸ方向および前記部分Ａ’のＸ’方向においては前記遠用度数よりも遠用へと度数を強めた後に遠用度数に至るまで度数を弱めた形状を有する。
【００３２】
本発明の第３の態様は、第２の態様に記載の態様であって、
Ｘ方向およびＸ’方向で見た時にシリンダーパワー（単位：ディオプター）が以下の各条件を満たす。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
【００３３】
本発明の第４の態様は、第２または第３の態様に記載の態様であって、
前記近用度数と前記遠用度数との差に対する、前記部分Ａおよび前記部分Ａ’における度数の極小値と前記遠用度数との差の割合は、０．１５以上且つ１．０以下である。
【００３４】
本発明の第５の態様は、第１の態様に記載の態様であって、
前記光学部においては前記近用部が前記中間部の外縁に環状に配され、
前記部分ＡのＸ方向および前記部分Ａ’のＸ’方向においては前記近用度数よりも近用へと度数を強めた後に近用度数に至るまで度数を弱めた形状を有する。
【００３５】
本発明の第６の態様は、第５の態様に記載の態様であって、
Ｘ方向およびＸ’方向で見た時にシリンダーパワー（単位：ディオプター）が以下の各条件を満たす。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【００３６】
本発明の第７の態様は、第５または第８の態様に記載の態様であって、
前記近用度数と前記遠用度数との差に対する、前記部分Ａおよび前記部分Ａ’における度数の極大値と前記近用度数との差の割合は、０．１５以上且つ１．０以下である。
【００３７】
本発明の第８の態様は、第１〜第７の態様のいずれかに記載の態様であって、
中央に配された前記近用部または前記遠用部は、前記眼用レンズの光学中心を含むように設けられる。
【００３８】
本発明の第９の態様は、第１〜第８の態様のいずれかに記載の態様であって、
前記眼用レンズはコンタクトレンズである。
【００３９】
本発明の第１０の態様は、第１〜第８の態様のいずれかに記載の態様であって、
前記眼用レンズは眼内レンズである。
【００４０】
本発明の第１１の態様は、
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズの設計方法であって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有するように眼用レンズを設計する、眼用レンズの設計方法である。
【００４１】
本発明の第１２の態様は、第１１の態様に記載の態様であって、
前記光学部においては前記遠用部を前記中間部の外縁に環状に配し、
前記部分ＡのＸ方向および前記部分Ａ’のＸ’方向においては前記遠用度数よりも遠用へと度数を強めた後に遠用度数に至るまで度数を弱めるように眼用レンズを設計する。
【００４２】
本発明の第１３の態様は、第１２の態様に記載の態様であって、
Ｘ方向およびＸ’方向で見た時にシリンダーパワー（単位：ディオプター）が以下の各条件を満たす。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
【００４３】
本発明の第１４の態様は、第１２または第１３の態様に記載の態様であって、
前記近用度数と前記遠用度数との差に対する、前記部分Ａおよび前記部分Ａ’における度数の極小値と前記遠用度数との差の割合を、０．１５以上且つ１．０以下とする。
【００４４】
本発明の第１５の態様は、第１１の態様に記載の態様であって、
前記光学部においては前記近用部を前記中間部の外縁に環状に配し、
前記部分ＡのＸ方向および前記部分Ａ’のＸ’方向においては前記近用度数よりも近用へと度数を強めた後に近用度数に至るまで度数を弱めるように眼用レンズを設計する。
【００４５】
本発明の第１６の態様は、第１５の態様に記載の態様であって、
Ｘ方向およびＸ’方向で見た時にシリンダーパワー（単位：ディオプター）が以下の各条件を満たす。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【００４６】
本発明の第１７の態様は、第１５または第１６の態様に記載の態様であって、
前記近用度数と前記遠用度数との差に対する、前記部分Ａおよび前記部分Ａ’における度数の極大値と前記近用度数との差の割合を、０．１５以上且つ１．０以下とする。
【００４７】
本発明の第１８の態様は、第１１〜第１７の態様のいずれかに記載の態様であって、
中央に配された前記近用部または前記遠用部は、前記眼用レンズの光学中心を含むように設けられる。
【００４８】
本発明の第１９の態様は、第１１〜第１８の態様のいずれかに記載の態様であって、
前記眼用レンズはコンタクトレンズである。
【００４９】
本発明の第２０の態様は、第１１〜第１８の態様のいずれかに記載の態様であって、
前記眼用レンズは眼内レンズである。
【００５０】
本発明の第２１の態様は、第１１〜第２０の態様のいずれかに記載の眼用レンズの設計方法によって眼用レンズを設計する設計工程と、
設計された眼用レンズを加工装置により製造する加工工程と、
を有する、眼用レンズの製造方法である。
【００５１】
また、前記眼用レンズを複数備える眼用レンズセットの態様を挙げると以下のとおり
である。なお、以下の態様に対し、先に挙げた好適な態様を適宜組み合わせたものも本発
明の態様である。
【００５２】
本発明の第２２の態様は、
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズを複数備える眼用レンズセットであって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有する眼用レンズを複数備える、眼用レンズセットである。
【００５３】
また、上記の態様に組み合わせ可能な他の態様を列挙すると以下のとおりである。
【００５４】
本発明の第２３の態様は、上記の各態様において、
前記光学部においては前記近用部が中央寄りに配され、
前記部分Ａおよび部分Ａ’とは、中間部内において例えば部分ＡをＸ方向に見た時だと度数が減少した後に遠用度数以下へと減少し（好ましくは度数が単調減少）た後、再び遠用度数に至るまで度数が増加す（好ましくは度数が単調増加）る部分である。
【００５５】
本発明の第２４の態様は、第２３の態様において、
前記部分Ａにおいて度数が極小となる箇所は１か所且つ前記部分Ａ’において度数が極小となる箇所は１か所である。
【００５６】
本発明の第２５の態様は、第２３または第２４の態様において、
上記の部分Ａにおいて度数が極小となる箇所と部分Ａ’において度数が極小となる箇所との間の平面視距離Ｌは２．０〜５．０ｍｍであるのが好ましい。下限は、より好ましくは２．２ｍｍであり、上限は、より好ましくは４．８ｍｍである。
【００５７】
本発明の第２６の態様は、第２３〜第２５のいずれかの態様において、
近用度数と遠用度数との差に対する、部分Ａおよび部分Ａ’における度数の極小値と遠用度数との差の割合は、０．１５以上且つ１．０以下であるのが好ましい。各々の下限は、より好ましくは０．２５、更に好ましくは０．３０、非常に好ましくは０．４０であり、上限は、より好ましくは０．９０、更に好ましくは０．８０、非常に好ましくは０．７０である。
【００５８】
本発明の第２７の態様は、第２３〜第２６のいずれかの態様において、
レンズに対して直線Ｘ−Ｘ’を光学中心Ｏを中心に０から１８０°まで回転させたときに、遠用部においてシリンダーパワーが０．５０Ｄ以下の部分が８０面積％以上であるのが好ましく、９０面積％以上がより好ましく、９５面積％以上が更に好ましい。  
【００５９】
本発明の第２８の態様は、第２３〜第２７のいずれかの態様において、
遠用部は、遠用度数から±０．５０Ｄ（好ましくは±０．２５Ｄ）の範囲内とするのが好ましい。
【００６０】
本発明の第２９の態様は、第２３〜第２８のいずれかの態様において、
近用部は、近用度数から±０．５０Ｄ（好ましくは±０．２５Ｄ）の範囲内とするのが好ましい。近用度数から＋０．５０Ｄ（好ましくは＋０．２５Ｄ）の範囲内とするのが更に好ましい。
【００６１】
本発明の第３０の態様は、上記の各態様において、
前記光学部においては前記遠用部が中央寄りに配され、
部分Ａおよび部分Ａ’とは、中間部内において例えば部分ＡをＸ方向に見た時だと度数が増加した後に近用度数以上に増加（好ましくは度数が単調増加）した後、再び近用度数に至るまで度数が減少（好ましくは度数が単調減少）する部分である。
【００６２】
本発明の第３１の態様は、第３０の態様において、
前記部分Ａにおいて度数が極大となる箇所は１か所且つ前記部分Ａ’において度数が極大となる箇所は１か所である。
【００６３】
本発明の第３２の態様は、第３０または第３１の態様において、
上記の平面視距離Ｌは２．０〜５．０ｍｍであるのが好ましい。下限は、より好ましくは２．２ｍｍであり、上限は、より好ましくは４．８ｍｍである。
【００６４】
本発明の第３３の態様は、第３０〜第３２のいずれかの態様において、
近用度数と遠用度数との差に対する、部分Ａおよび部分Ａ’における度数の極大値と近用度数との差の割合は、０．１５以上且つ１．０以下であるのが好ましい。各々の下限は、より好ましくは０．２５、更に好ましくは０．３０、非常に好ましくは０．４０であり、上限は、より好ましくは０．９０、更に好ましくは０．８０、非常に好ましくは０．７０である。
【００６５】
本発明の第３４の態様は、第３０〜第３３のいずれかの態様において、
レンズに対して直線Ｘ−Ｘ’を光学中心Ｏを中心に０から１８０°まで回転させたときに、遠用部においてシリンダーパワーが０．５０Ｄ以下の部分が８０面積％以上であるのが好ましく、９０面積％以上がより好ましく、９５面積％以上が更に好ましい。  
【００６６】
本発明の第３５の態様は、第３０〜第３４のいずれかの態様において、
遠用部は、遠用度数から±０．５０Ｄ（好ましくは±０．２５Ｄ）の範囲内とするのが好ましい。
【００６７】
本発明の第３６の態様は、第３０〜第３５のいずれかの態様において、
近用部は、近用度数から±０．５０Ｄ（好ましくは−０．５０Ｄ、更に好ましくは−０．２５Ｄ）の範囲内とするのが好ましい。
【００６８】
前記条件１−１および条件２−１を、以下の条件１’ −１および条件２’ −１に置き換えまたは条件１および２に追加しても構わない。
＜条件１’−１＞
（前記部分Ａにおいて前記遠用度数よりも遠用へと度数を強めた後に度数を弱めて前記遠用度数に到達したときのシリンダーパワー（図５中の矢印β））／（前記中間部における最大シリンダーパワー（図５中の矢印α））≦０．３０（好ましくは≦０．２５、より好ましくは≦０．２０、更に好ましくは≦０．１５）
＜条件２’−１＞
（前記部分Ａ’において前記遠用度数よりも遠用へと度数を強めた後に度数を弱めて前記遠用度数に到達したときのシリンダーパワー（図５中の矢印β’））／（前記中間部における最大シリンダーパワー（図５中の矢印α’））≦０．３０（好ましくは≦０．２５、より好ましくは≦０．２０、更に好ましくは≦０．１５）
【００６９】
前記条件１−２および条件２−２を、以下の条件１’−２および条件２’−２に置き換えまたは条件１および２に追加しても構わない。
＜条件１’−２＞
（前記部分Ａにおいて前記近用度数よりも近用へと度数を強めた後に度数を弱めて前記近用度数に到達したときのシリンダーパワー（図５中の矢印β））／（前記中間部における最大シリンダーパワー（図５中の矢印α））≦０．３０（好ましくは≦０．２５、より好ましくは≦０．２０、更に好ましくは≦０．１５）
＜条件２’−２＞
（前記部分Ａ’において前記近用度数よりも近用へと度数を強めた後に度数を弱めて前記近用度数に到達したときのシリンダーパワー（図５中の矢印β’））／（前記中間部における最大シリンダーパワー（図５中の矢印α’））≦０．３０（好ましくは≦０．２５、より好ましくは≦０．２０、更に好ましくは≦０．１５）
【００７０】
以下の態様も挙げられる。
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズであって、
前記光学部の中央の外縁に環状に配された前記遠用部または前記近用部において、中央から周辺に向かうＸ方向で見た時に度数を強めた後に弱めた部分Ａを有し且つＸ方向とは正反対の方向であって中央から周辺に向かうＸ’方向で見た時には度数の変曲点が存在する、眼用レンズまたはその設計方法、製造方法。」
【００７１】
以下の態様も挙げられる。
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズであって、
前記中間部において、中央から周辺に向かうＸ方向に向かって見た時、周方向の曲率を径方向の曲率に近づかせ、且つ、Ｘ方向とは正反対の方向であって中央から周辺に向かうＸ’方向に向かって見た時も、周方向の曲率を径方向の曲率に近づかせた、眼用レンズ。」
【００７２】
以下の態様も挙げられる。
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央寄りに配され、中央寄りに配されなかったものが前記中間部の外縁に環状に配された光学部を備えた眼用レンズであって、
前記光学部において前記遠用部が前記中間部の外縁に環状に配される場合は、中央から周辺に向かうＸ方向に向かって見た時およびＸ方向とは正反対の方向であって中央から周辺に向かうＸ’方向に向かって見た時、シリンダーパワー（単位：ディオプター）が以下の条件１を満たし、
＜条件１＞
（前記中間部において前記遠用度数よりも遠用へと度数を強めた後に度数を弱めて遠用度数に到達したときのシリンダーパワー）≦０．３０Ｄ
前記光学部において前記近用部が前記中間部の外縁に環状に配される場合は、前記Ｘ方向および前記Ｘ’方向で見た時、シリンダーパワーが以下の条件２を満たす、眼用レンズ。
＜条件２＞
（前記中間部において前記近用度数よりも近用へと度数を強めた後に度数を弱めて近用度数に到達したときのシリンダーパワー）≦０．３０Ｄ」
前記構成の条件１および条件２を、以下の条件１’および条件２’に置き換えまたは条件１および２に追加しても構わない。
＜条件１’＞
（前記中間部において前記遠用度数よりも遠用へと度数を強めた後に度数を弱めて遠用度数に到達したときのシリンダーパワー）／（前記中間部における最大シリンダーパワー）≦０．３０
＜条件２’＞
（前記中間部において前記近用度数よりも近用へと度数を強めた後に度数を弱めて近用度数に到達したときのシリンダーパワー）／（前記中間部における最大シリンダーパワー）≦０．３０
【発明の効果】
【００７３】
本発明によれば、中間部の外縁の遠用部または近用部においてシリンダーパワーが小さな領域を広く確保することが可能となる。
【図面の簡単な説明】
【００７４】
【図１】図１は、従来の多焦点レンズを平面視した概略図である。
【図２】図２は、従来のマルチフォーカルコンタクトレンズ（中心近用）の光学部をＸ−Ｘ’方向の端Ｆ２から端Ｆ２’まで見た時の度数をプロットした図である。図１で示した従来のレンズの加入度数ＡＤＤは＋２．００Ｄである。遠用度数Ｓは０Ｄ、近用度数（Ｓ＋ＡＤＤ）は＋２．００Ｄ、乱視度数Ｃは０Ｄに設定している。
【図３】図３は、図２のレンズの光学部をＸ−Ｘ’方向の端Ｆ２から端Ｆ２’まで見た時のシリンダーパワーをプロットした図である。
【図４】図４は、本実施形態のマルチフォーカルコンタクトレンズ（中心近用）の光学部をＸ−Ｘ’方向の端Ｆ２から端Ｆ２’まで見た時の度数をプロットした図である。遠用度数Ｓは０Ｄ、近用度数（Ｓ＋ＡＤＤ）は＋２．００Ｄ、乱視度数Ｃは０Ｄに設定している。部分Ａおよび部分Ａ’における度数の極小値と遠用度数との差を１．００Ｄとしている。
【図５】図５は、図４のレンズの光学部をＸ−Ｘ’方向の端Ｆ２から端Ｆ２’まで見た時のシリンダーパワーをプロットした図である。
【図６】図６は、別実施形態のマルチフォーカルコンタクトレンズ（中心近用）の光学部をＸ−Ｘ’方向の端Ｆ２から端Ｆ２’まで見た時の度数をプロットした図である。図４と同様、遠用度数Ｓは０Ｄ、近用度数（Ｓ＋ＡＤＤ）は＋２．００Ｄ、乱視度数Ｃは０Ｄに設定しているが、部分Ａおよび部分Ａ’における度数の極小値と遠用度数との差を０．５０Ｄに縮小している。
【図７】図７は、図６のレンズの光学部をＸ−Ｘ’方向の端Ｆ２から端Ｆ２’まで見た時のシリンダーパワーをプロットした図である。
【図８】図８は、別実施形態のマルチフォーカルコンタクトレンズ（中心近用）の光学部をＸ−Ｘ’方向の端Ｆ２から端Ｆ２’まで見た時の度数をプロットした図である。図４と同様、遠用度数Ｓは０Ｄ、近用度数（Ｓ＋ＡＤＤ）は＋２．００Ｄ、乱視度数Ｃは０Ｄに設定しているが、部分Ａおよび部分Ａ’における度数の極小値と遠用度数との差を２．００Ｄに拡大している。
【図９】図９は、図８のレンズの光学部をＸ−Ｘ’方向の端Ｆ２から端Ｆ２’まで見た時のシリンダーパワーをプロットした図である。
【図１０】図１０は、従来例に係る図２、ならびに、本発明に係る図４、図６、および図８の結果をまとめた度数のプロット図である。
【図１１】図１１は、従来例に係る図３、ならびに、本発明に係る図５、図７、および図９の結果をまとめたシリンダーパワーのプロット図である。
【図１２】図１２は、別の従来のマルチフォーカルコンタクトレンズ（中心近用）の光学部をＸ−Ｘ’方向の端Ｆ２から端Ｆ２’まで見た時の度数をプロットした図である。図２と異なり、遠用度数Ｓを−３．００Ｄ、近用度数（Ｓ＋ＡＤＤ）は−２．００Ｄ、乱視度数Ｃは０Ｄに設定している。
【図１３】図１３は、図１２のレンズの光学部をＸ−Ｘ’方向の端Ｆ２から端Ｆ２’まで見た時のシリンダーパワーをプロットした図である。
【図１４】図１４は、更に別の実施形態のマルチフォーカルコンタクトレンズ（中心近用）の光学部をＸ−Ｘ’方向の端Ｆ２から端Ｆ２’まで見た時の度数をプロットした図である。図１２と同様、遠用度数Ｓを−３．００Ｄ、近用度数（Ｓ＋ＡＤＤ）は−２．００Ｄ、乱視度数Ｃは０Ｄに設定している。部分Ａおよび部分Ａ’における度数の極小値と遠用度数との差を０．５０Ｄとしている。
【図１５】図１５は、図１４のレンズの光学部をＸ−Ｘ’方向の端Ｆ２から端Ｆ２’まで見た時のシリンダーパワーをプロットした図である。
【図１６】図１６は、別の従来のマルチフォーカルコンタクトレンズ（中心遠用）の光学部をＸ−Ｘ’方向の端Ｎ２から端Ｎ２’まで見た時の度数をプロットした図である。図１６で示した従来のレンズの加入度数ＡＤＤは＋２．００Ｄである。遠用度数Ｓは０Ｄ、近用度数（Ｓ＋ＡＤＤ）は＋２．００Ｄ、乱視度数Ｃは０Ｄに設定している。
【図１７】図１７は、図１６のレンズの光学部をＸ−Ｘ’方向の端Ｎ２から端Ｎ２’まで見た時のシリンダーパワーをプロットした図である。
【図１８】図１８は、本例のマルチフォーカルコンタクトレンズ（中心遠用）の光学部をＸ−Ｘ’方向の端Ｎ２から端Ｎ２’まで見た時の度数をプロットした図である。遠用度数Ｓは０Ｄ、近用度数（Ｓ＋ＡＤＤ）は＋２．００Ｄ、乱視度数Ｃは０Ｄに設定している。部分Ａおよび部分Ａ’における度数の極大値と近用度数との差を０．５０Ｄとしている。
【図１９】図１９は、図１８のレンズの光学部をＸ−Ｘ’方向の端Ｎ２から端Ｎ２’まで見た時のシリンダーパワーをプロットした図である。
【発明を実施するための形態】
【００７５】
以下、本発明の実施の形態について図面を参照しつつ詳細に説明する。
本実施形態においては、次の順序で説明を行う。
１．コンタクトレンズ
１−１．マルチフォーカルコンタクトレンズ（多焦点レンズ）
１−１−１．近用部を中央に配置し、遠用部を中間部の外縁に環状に配置
１−１−２．遠用部を中央に配置し、近用部を中間部の外縁に環状に配置
１−２．その他のコンタクトレンズ
２．コンタクトレンズの設計方法（製造方法）
３．眼内レンズ（ＩＯＬ）およびその設計方法（製造方法）
４．眼用レンズセット
５．変形例
【００７６】
なお、以下に記載が無い構成については、公知の構成を適宜採用しても構わない。また、本明細書において「〜」は所定の値以上かつ所定の値以下を指す。
また、本明細書にて扱う眼用レンズ（コンタクトレンズ、または眼内レンズにおけるレンズ本体）は互いに対向する二つの面を有する。該眼用レンズを装用者が装着した際に網膜側に位置する方を「後面」とし、その逆の物体側に位置する方を「前面」とする。
また、本明細書にて度数とはパワー（単位はディオプター［Ｄ］）のことを指す。
【００７７】
本明細書において、中央に近用部が配され且つ中央の外縁に遠用部が環状に配される場合、遠用部において「遠用度数を強め」とは、より遠くが見える方向すなわちマイナス方向に強めることを指し、度数を減少させることを指す（例：０．００Ｄ→−０．１０Ｄ）。逆に「遠用度数を弱め」とは、遠くが見えにくくなる方向すなわちプラス方向に見て弱めることを指し、度数を増加させることを指す（例：−０．１０Ｄ→０．００Ｄ）。
その一方、中央に遠用部が配され且つ中央の外縁に近用部が環状に配される場合、近用部において「近用度数を強め」とは、より近くが見える方向すなわちプラス方向に強めることを指し、度数を増加させることを指す（例：５．００Ｄ→５．１０Ｄ）。逆に「近用度数を弱め」とは、近くが見えにくくなる方向すなわちプラス方向に見て弱めることを指し、度数を減少させることを指す（例：５．１０Ｄ→５．００Ｄ）。
つまり、中央の外縁に遠用部が配されるか近用部が配されるか未定の段階での「度数を強め」とは、遠用度数または近用度数を強めることを意味し、「度数を弱め」とは遠用度数または近用度数を弱めることを意味する。
【００７８】
＜１．コンタクトレンズ＞
１−１．マルチフォーカルコンタクトレンズ（多焦点レンズ）
本実施形態においてはマルチフォーカルコンタクトレンズ（多焦点レンズ。以降、単にレンズとも称する。）を主として例示する。
【００７９】
１−１−１．近用部を中央に配置し、遠用部を中央の外縁に環状に配置
本実施形態におけるレンズは、先に説明した従来のレンズと同様、光学性能に主として寄与する略円形状の光学部と、該光学部の周縁に位置する環状の周辺部を備える。
【００８０】
先ほど述べたように周辺部はレンズを角膜上に載置した際に瞼の裏に入り込みやすいフランジ形状を有するのが通常である。
【００８１】
そして光学部は、近方距離を見るための近用度数を備えた近用部と、近方距離よりも遠くの距離（無限遠含む）を見るための遠用度数を備えた遠用部と、近用部と前記遠用部との間を繋ぐ環状の中間部と、を有するものである。なお、中間部は、度数が連続的に変化する領域であって径方向および周方向の曲率が連続的に変化する領域であり、レンズ表面に段差の無い領域である。
なお、本明細書における近方距離とは遠方距離よりも近い距離ならば特に限定は無い。もちろん、絶対的距離としての近方距離（例えば１００ｃｍ以下、または読書距離である４０ｃｍ以下）であってもよい。
【００８２】
そして本実施形態においては、近用部が中央に配され、近用部の外縁に環状の中間部が配され、中間部の外縁に遠用部が環状に配された例を挙げる。なお、平面視の構成としては先に挙げた図１と同様である。本例においても光学中心Ｏをレンズの幾何中心と一致させた例を挙げるが、本発明はそれに限定されない（以降同様）。
【００８３】
先ほども述べたように、本実施形態のレンズでは、近用部が中央に配され、近用部の外縁に環状の中間部が配され、中間部の外縁に遠用部が環状に配されている。その関係上、光学中心Ｏの方が遠用部よりも度数が高く設定されている。本明細書での「度数が高く」とは、度数の値が大きいことを意味する。以降、度数の高低については同様とする。
【００８４】
なお、レンズの処方としては、通常、遠用度数Ｓと加入度数ＡＤＤ（そして乱視矯正を行う場合は乱視度数Ｃ）の値が与えられるが、近用度数とは（Ｓ＋ＡＤＤ）の値である（各度数の単位は［Ｄ］、以降同様）。近用部Ｎ−Ｎ’において光学中心Ｏの近傍の度数を近用度数の値とする。なお、光学中心Ｏの位置の度数を近用度数の値（すなわち光学中心Ｏにおける度数＝近用度数）とする一方で、光学中心Ｏが幾何中心からずれた場合、幾何中心においては近用度数の値からわずかにずれても構わない。
【００８５】
本実施形態のレンズが従来のものと主として異なるのは中間部における度数のプロットである。以下、詳述する。
【００８６】
図４は、本実施形態のマルチフォーカルコンタクトレンズ（中心近用）の光学部をＸ−Ｘ’方向の端Ｆ２から端Ｆ２’まで見た時の度数をプロットした図である。遠用度数Ｓは０Ｄ、近用度数（Ｓ＋ＡＤＤ）は＋２．００Ｄ、乱視度数Ｃは０Ｄに設定している。部分Ａおよび部分Ａ’における度数の極小値と遠用度数との差を１．００Ｄとしている。
図５は、図４のレンズの光学部をＸ−Ｘ’方向の端Ｆ２から端Ｆ２’まで見た時のシリンダーパワーをプロットした図である。
【００８７】
本実施形態のレンズの光学部における近用部は、光学中心ＯからＸ方向（外周に向かう方向）で見た時に最後に近用度数から度数が減少する部分（図４のＮ）と、光学中心ＯからＸ’方向で見た時に最後に近用度数から度数が減少する部分（図４のＮ’）との間（図４のＮ−Ｎ’）を指す。「最後に」を付しているのは、近用部の中央において近用度数以下となる部分が一部存在する場合も考慮してのことである。
【００８８】
本実施形態のレンズの光学部における環状の中間部は、Ｘ方向で見た時、近用部の外縁（図４のＮ）から、度数が減少し、遠用度数よりも更に減少した後、遠用度数まで増加した部分（図４のＦ１）までの間（図４のＮ−Ｆ１）を指す。同様に、Ｘ’方向で見た時の図４のＮ’−Ｆ１’も中間部である。
【００８９】
本実施形態のレンズの光学部における環状の遠用部は、近用部および中間部以外の部分であり、Ｘ方向およびＸ’方向で見た時、中間部にて度数が遠用度数まで増加した以降の部分（図４のＦ１−Ｆ２、Ｆ１’−Ｆ２’）を指す。
【００９０】
本実施形態のレンズの中間部は、図４に示すように、部分ＡのＸ方向および部分Ａ’のＸ’方向で見た時、遠用度数よりも遠用へと度数を強めた後に遠用度数に至るまで度数を弱めた形状を有する。ここで言う部分Ａおよび部分Ａ’とは、中間部内において例えば部分ＡをＸ方向に見た時だと度数が減少した後に遠用度数以下へと減少し（好ましくは度数が単調減少）た後、再び遠用度数に至るまで度数が増加す（好ましくは度数が単調増加）る部分のことを指す。
【００９１】
本実施形態のレンズならば、具体的に言うと、図５に示すように、径方向で見た時、中間部を通過して遠用部に至っても、中間部で生じたシリンダーパワーが速やかに減少する。その結果、中間部の外縁の遠用部においてシリンダーパワーが小さな領域を広く確保でき、中間部の外縁の遠用部における見え方が良くなる。
【００９２】
本実施形態のレンズにおいては、Ｘ方向およびＸ’方向で見た時にシリンダーパワー（単位：ディオプター）が以下の各条件を満たすのが好ましい。
＜条件１−１＞
（前記部分Ａにおいて前記遠用度数よりも遠用へと度数を強めた後に度数を弱めて前記遠用度数に到達したときのシリンダーパワー（図５中の矢印β））≦０．３０Ｄ（好ましくは０．２５Ｄ、より好ましくは０．２０Ｄ、更に好ましくは０．１５Ｄ）
＜条件２−１＞
（前記部分Ａ’において前記遠用度数よりも遠用へと度数を強めた後に度数を弱めて前記遠用度数に到達したときのシリンダーパワー（図５中の矢印β’））≦０．３０Ｄ（好ましくは０．２５Ｄ、より好ましくは０．２０Ｄ、更に好ましくは０．１５Ｄ）
前記各条件を満たせば、中間部の外縁の遠用部において、シリンダーパワーが絶対値として小さな領域を確実に広く確保できる。
【００９３】
前記条件１−１および条件２−１を、以下の条件１’ −１および条件２’ −１に置き換えまたは前記条件１−１および２−１に追加しても構わない。
＜条件１’−１＞
（前記部分Ａにおいて前記遠用度数よりも遠用へと度数を強めた後に度数を弱めて前記遠用度数に到達したときのシリンダーパワー（図５中の矢印β））／（前記中間部における最大シリンダーパワー（図５中の矢印α））≦０．３０（好ましくは≦０．２５、より好ましくは≦０．２０、更に好ましくは≦０．１５）
＜条件２’−１＞
（前記部分Ａ’において前記遠用度数よりも遠用へと度数を強めた後に度数を弱めて前記遠用度数に到達したときのシリンダーパワー（図５中の矢印β’））／（前記中間部における最大シリンダーパワー（図５中の矢印α’））≦０．３０（好ましくは≦０．２５、より好ましくは≦０．２０、更に好ましくは≦０．１５）
前記各条件を満たせば、レンズの中央から周辺に向かって（すなわちＸ方向およびＸ’方向で）見た時に、中間部に生じたシリンダーパワーが確実に速やかに減少することになる。
【００９４】
なお、部分Ａにおいて度数が極小となる箇所は１か所のみであるのが好ましく、且つ、部分Ａ’においても度数が極小となる箇所は１か所のみであるのが好ましい。この規定により、度数プロットで見たときに多数の小さな凹部分を設けなくて済み、レンズ設計を複雑化せずに済む。ただ、前記規定は必須ではなく、例えば２、３か所の極小となる箇所を設けても構わない。
【００９５】
また、部分Ａにおいて度数が極小となる（最外縁側の）箇所と、部分Ａ’において度数が極小となる（最外縁側の）箇所との間の平面視距離Ｌは２．０〜５．０ｍｍであるのが好ましい。下限は、より好ましくは２．２ｍｍであり、上限は、より好ましくは４．８ｍｍである。この規定により、度数の減少後増加させる位置を確実に適切なものとし、具体的な寸法を基にシリンダーパワーの小さい遠用部を確保できる。ただ、前記数値範囲は必須ではなく、レンズの種類に応じて適宜平面視距離Ｌを設定しても構わない。
【００９６】
また、近用度数と遠用度数との差に対する、部分Ａおよび部分Ａ’における度数の極小値と遠用度数との差の割合は、０．１５以上且つ１．０以下であるのが好ましい。各々の下限は、より好ましくは０．２５、更に好ましくは０．３０、非常に好ましくは０．４０であり、上限は、より好ましくは０．９０、更に好ましくは０．８０、非常に好ましくは０．７０である。この規定により、中間部にて意図的に歪を十分に設けることが可能となり、近用部のみならず、外縁にある遠用部のシリンダーパワーをゼロに近づけられる。ただ、前記数値範囲は必須ではなく、状況に応じて上記の差を適宜設定しても構わないし、部分Ａと部分Ａ’とで上記の差の割合が異なっていてももちろん構わない。
【００９７】
なお、本実施形態においては中間部における度数の増減の挙動に大きな特徴がある。そのため、外縁の遠用部の度数プロット、更には中央の近用部の度数プロットについては特に限定されるものではない。
【００９８】
例えば、Ｘ方向で見た時に、中間部における前記度数変化を経て遠用度数へと至った後、図４に示すように度数が一定となる以外に、度数が単調増加したり単調減少したりという度数プロットを有しても構わない。但し、遠用部は、近方距離よりも遠くの所定の距離を見るための遠用度数を備えた部分であるため、過度の度数変化は好ましくなく、遠用度数から±０．５０Ｄ（好ましくは±０．２５Ｄ）の範囲内とするのが好ましい。
【００９９】
中央の近用部についても同様、近用度数に比べて度数が増加したり減少したりという度数プロットを有しても構わない。但し、近用部は近方距離を見るための近用度数を備えた部分であるため、過度の度数変化は好ましくなく、近用度数から±０．５０Ｄ（好ましくは±０．２５Ｄ）の範囲内とするのが好ましい。更に、近用部において近用度数よりも度数が減少すると、前記近方距離を見るための度数が足りないこととなり好ましくない。そのため、近用度数から＋０．５０Ｄ（好ましくは＋０．２５Ｄ）の範囲内とするのが更に好ましい。また、近用部において近用度数を十分確保すべく、光学中心ＯからＸ方向およびＸ’方向に見た時、近用度数よりも近用へと度数を強めた形状を近用部に備えさせてもよい。
【０１００】
本実施形態におけるレンズの中間部での前記度数の強弱および各好適例を満たすことの有効性を示すべく、図４および図５以外のバリエーションについて以下に示す。
【０１０１】
図６は、別実施形態のマルチフォーカルコンタクトレンズ（中心近用）の光学部をＸ−Ｘ’方向の端Ｆ２から端Ｆ２’まで見た時の度数をプロットした図である。図４と同様、遠用度数Ｓは０Ｄ、近用度数（Ｓ＋ＡＤＤ）は＋２．００Ｄ、乱視度数Ｃは０Ｄに設定しているが、部分Ａおよび部分Ａ’における度数の極小値と遠用度数との差を０．５０Ｄに縮小している。
図７は、図６のレンズの光学部をＸ−Ｘ’方向の端Ｆ２から端Ｆ２’まで見た時のシリンダーパワーをプロットした図である。
図７に示すように、Ｘ方向で見た時に遠用度数から遠用に度数を強めた後に弱めて遠用度数に到達した部分（光学中心Ｏから３．２ｍｍ）すなわち遠用部の端Ｆ１では既にシリンダーパワーはゼロ近傍となっており、遠用部（Ｆ１−Ｆ２）の大半においてシリンダーパワーがゼロ近傍となっている。
【０１０２】
図８は、別実施形態のマルチフォーカルコンタクトレンズ（中心近用）の光学部をＸ−Ｘ’方向の端Ｆ２から端Ｆ２’まで見た時の度数をプロットした図である。図４と同様、遠用度数Ｓは０Ｄ、近用度数（Ｓ＋ＡＤＤ）は＋２．００Ｄ、乱視度数Ｃは０Ｄに設定しているが、部分Ａおよび部分Ａ’における度数の極小値と遠用度数との差を２．００Ｄに拡大している。
図９は、図８のレンズの光学部をＸ−Ｘ’方向の端Ｆ２から端Ｆ２’まで見た時のシリンダーパワーをプロットした図である。
図９に示すように、Ｘ方向で見た時に遠用度数から遠用に度数を強めた後に弱めて遠用度数に到達した部分（光学中心Ｏから２．６ｍｍ）すなわち遠用部の端Ｆ１では既にシリンダーパワーは０．２５Ｄ以下となっており、遠用部（Ｆ１−Ｆ２）の大半においてシリンダーパワーが０．２５Ｄ以下となっている。
【０１０３】
図１０は、従来例に係る図２、ならびに、本発明に係る図４、図６、および図８の結果をまとめた度数のプロット図である。
図１１は、従来例に係る図３、ならびに、本発明に係る図５、図７、および図９の結果をまとめたシリンダーパワーのプロット図である。
図１１に示すように、本発明に係るプロットはいずれも従来例に係るプロットに比べ、Ｘ方向およびＸ’方向において速やかにシリンダーパワーを減少させることができている。その結果、中間部を経て遠用度数へと度数が到達した際には、本発明に係るプロットだといずれもシリンダーパワーが０．２５Ｄ以下となっており、ほとんどがゼロ近傍となっている。つまり、中間部で生じたシリンダーパワーが速やかに減少し、中間部の外縁の遠用部または近用部においてシリンダーパワーが小さな領域を広く確保できている。
【０１０４】
図１２は、別の従来のマルチフォーカルコンタクトレンズ（中心近用）の光学部をＸ−Ｘ’方向の端Ｆ２から端Ｆ２’まで見た時の度数をプロットした図である。図２と異なり、遠用度数Ｓを−３．００Ｄ、近用度数（Ｓ＋ＡＤＤ）は−２．００Ｄ、乱視度数Ｃは０Ｄに設定している。
図１３は、図１２のレンズの光学部をＸ−Ｘ’方向の端Ｆ２から端Ｆ２’まで見た時のシリンダーパワーをプロットした図である。
【０１０５】
図２および図３に示した従来のレンズ（中心近用）と同様、図１２および図１３に示す従来のレンズ（中心近用）においても、中間部を通過して遠用部に至っても、中間部で生じたシリンダーパワーが速やかに減少しない（図１３の矢印α→β、α’→β’）。
【０１０６】
それに対し、図１４に示す更に別の実施形態のレンズ、すなわち前記別の従来のレンズと同じ遠用度数Ｓ、近用度数（Ｓ＋ＡＤＤ）、乱視度数Ｃを採用しつつ本発明を適用したレンズだと、中間部で生じたシリンダーパワーが速やかに減少し、中間部の外縁の遠用部または近用部においてシリンダーパワーが小さな領域を広く確保できる。
【０１０７】
図１４は、更に別の実施形態のマルチフォーカルコンタクトレンズ（中心近用）の光学部をＸ−Ｘ’方向の端Ｆ２から端Ｆ２’まで見た時の度数をプロットした図である。図１２と同様、遠用度数Ｓを−３．００Ｄ、近用度数（Ｓ＋ＡＤＤ）は−２．００Ｄ、乱視度数Ｃは０Ｄに設定している。部分Ａおよび部分Ａ’における度数の極小値と遠用度数との差を０．５０Ｄとしている。
図１５は、図１４のレンズの光学部をＸ−Ｘ’方向の端Ｆ２から端Ｆ２’まで見た時のシリンダーパワーをプロットした図である。
図１５に示すように、Ｘ方向で見た時に遠用度数から遠用に度数を強めた後に弱めて遠用度数に到達した部分（光学中心Ｏから２．４ｍｍ）すなわち遠用部の端Ｆ１では既にシリンダーパワーはゼロ近傍となっており、遠用部（Ｆ１−Ｆ２）の大半においてシリンダーパワーがゼロ近傍となっている。
【０１０８】
なお、中央の近用部と、中間部を挟んで周縁の遠用部と、に加え、その更に周縁に環状の近用部または更に前記遠用部よりも遠い距離を見るための第２遠用部を設ける場合（いわゆるトリフォーカルレンズ等）も本発明は排除しない。なお、この例において、環状の遠用部と、前記中間部とは別の環状の第２中間部を挟んで周縁の環状の第２遠用部とが本実施形態の特徴を備える場合、前記特徴で述べた「中央寄りの近用部」がこの「環状の遠用部」に該当し、前記特徴で述べた「環状の遠用部」がこの「環状の第２遠用部」に該当する。
つまり本明細書における「中央寄りの近用部」とは、光学中心Ｏを含むように近用部が中央に配置された場合も含むし、光学中心Ｏは含まないが中央寄りに近用部が環状に配置された場合も含む。
【０１０９】
なお、上記においては度数プロットにより本実施形態における中間部を規定したが、度数プロットの代わりに前面の形状（曲率）にて中間部を規定することも可能である。なぜなら、従来のレンズだと、角膜と接する方の面（後面）は角膜の形状に倣った面（例えば球面やトーリック面）に準ずる形状としなければならない。そうなると、度数の調整を瞼側の面（前面）の形状により行わなければならない。実際、本明細書にて言及した各度数プロットは、後面を球面とし、前面の形状を調整することにより得ている。
その結果、度数プロットの特徴がレンズの前面の形状（曲率）により表すことも可能となり、以下のような表現となる。
「近方距離を見るための近用度数を備えた近用部と、近方距離よりも遠くの距離を見るための遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズであって、
中間部において、中央から周辺に向かうＸ方向で見た時に曲率を減少させた後に増加させた部分Ａを有し且つＸ方向とは正反対の方向であって中央から周辺に向かうＸ’方向で見た時にも曲率を減少させた後に増加させた部分Ａ’を有する、眼用レンズ。
好ましくは、
部分Ａにおいて曲率が極小となる箇所は１か所のみであり、且つ、部分Ａ’においても曲率が極小となる箇所は１か所のみである。
好ましくは、
部分Ａにおいて曲率が極小となる箇所と、部分Ａ’において曲率が極小となる箇所との間の平面視距離は１．６〜３．８ｍｍである。」
ちなみに度数にて規定した場合の好適例を、曲率半径を用いた場合に対し、適宜度数を曲率半径へと変換したうえで適用することも可能である。
【０１１０】
なお、本実施形態のレンズは、前記各構成によって遠用部において広い範囲で低シリンダーパワーを実現できる。具体的には、レンズに対して直線Ｘ−Ｘ’を光学中心Ｏを中心に０から１８０°まで回転させたときに、遠用部においてシリンダーパワーが０．５０Ｄ以下の部分が８０面積％以上であるのが好ましく、９０面積％以上がより好ましく、９５面積％以上が更に好ましい。
【０１１１】
なお、本明細書において「面積％」とは、平面視した際の光学部の面積に対し、同じく平面視した際の、光学中心からみて、レンズに対して直線Ｘ−Ｘ’を光学中心Ｏを中心に０から１８０°まで回転させたときに上記の形状を有する部分（例えば光学中心Ｏと光学部の最外縁の円弧で囲まれる扇形の２か所の部分（０°〜１８０°にある部分Ａ、１８０°〜３６０°にある部分Ａ’））の面積の合計の百分率を意味する。
【０１１２】
ちなみに、レンズにおける光学部と周辺部との間には、先に述べたように目視で確認可能な境目があるわけではないが、レンズの度数を測定する装置（パワーメータ）を使用することにより判別可能である。
【０１１３】
１−１−２．遠用部を中央に配置し、近用部を中央の外縁に環状に配置
上記の例とは逆に、近用部が中央に配され、近用部の外縁に環状の中間部が配され、中間部の外縁に遠用部が環状に配された場合についても本発明の思想を適用することが可能である。なお、平面視の構成としては先に挙げた図４等における近用部と遠用部の位置を逆転させたものとなる。
【０１１４】
本例においては、遠用部が中央に配され、近用部がその外縁に環状に配されている。その関係上、光学中心Ｏの方が近用部よりも度数が低く設定されている。なお、レンズの処方としては、通常、遠用度数Ｓと加入度数ＡＤＤ（そして乱視矯正を行う場合は乱視度数Ｃ）の値が与えられる。なお、厳密に光学中心Ｏの位置において遠用度数の値（すなわち光学中心Ｏにおける度数＝遠用度数Ｓ）とする一方で、光学中心Ｏが幾何中心からずれた場合、幾何中心においては遠用度数の値からわずかにずれても構わない。
【０１１５】
図１６は、別の従来のマルチフォーカルコンタクトレンズ（中心遠用）の光学部をＸ−Ｘ’方向の端Ｎ２から端Ｎ２’まで見た時の度数をプロットした図である。図１６で示した従来のレンズの加入度数ＡＤＤは＋２．００Ｄである。遠用度数Ｓは０Ｄ、近用度数（Ｓ＋ＡＤＤ）は＋２．００Ｄ、乱視度数Ｃは０Ｄに設定している。
図１７は、図１６のレンズの光学部をＸ−Ｘ’方向の端Ｎ２から端Ｎ２’まで見た時のシリンダーパワーをプロットした図である。
【０１１６】
図２および図３に示した従来のレンズ（中心近用）と同様、図１６および図１７に示す従来のレンズ（中心遠用）においても、中間部を通過して近用部に至っても、中間部で生じたシリンダーパワーが速やかに減少しない（図１７の矢印α→β、α’→β’）。
【０１１７】
それに対し、図１８に示す本例のレンズが従来のものと主として異なるのは中間部における度数のプロットである。以下、詳述する。
【０１１８】
図１８は、本例のマルチフォーカルコンタクトレンズ（中心遠用）の光学部をＸ−Ｘ’方向の端Ｎ２から端Ｎ２’まで見た時の度数をプロットした図である。遠用度数Ｓは０Ｄ、近用度数（Ｓ＋ＡＤＤ）は＋２．００Ｄ、乱視度数Ｃは０Ｄに設定している。部分Ａおよび部分Ａ’における度数の極大値と近用度数との差を０．５０Ｄとしている。
図１９は、図１８のレンズの光学部をＸ−Ｘ’方向の端Ｎ２から端Ｎ２’まで見た時のシリンダーパワーをプロットした図である。
【０１１９】
本例のレンズの光学部における遠用部は、光学中心ＯからＸ方向（外周に向かう方向）で見た時に最後に遠用度数から度数が増加する部分（図１８のＦ）と、光学中心ＯからＸ’方向で見た時に最後に遠用度数から度数が増加する部分（図１８のＦ’）との間（図４のＦ−Ｆ’）を指す。「最後に」を付しているのは、遠用部の中央において遠用度数以下となる部分が一部存在する場合も考慮してのことである。
【０１２０】
本例のレンズの光学部における環状の中間部は、Ｘ方向で見た時、遠用部の外縁（図１８のＦ）から、度数が増加し、近用度数よりも更に増加した後、近用度数まで減少した部分（図１８のＮ１）までの間（図１８のＦ−Ｎ１）を指す。同様に、Ｘ’方向で見た時の図４のＦ’−Ｎ１’も中間部である。
【０１２１】
本例のレンズの光学部における環状の近用部は、遠用部および中間部以外の部分であり、Ｘ方向およびＸ’方向で見た時、中間部にて度数が近用度数まで減少した以降の部分（図４のＮ１−Ｎ２、Ｎ１’−Ｎ２’）を指す。
【０１２２】
本例のレンズの中間部は、部分ＡのＸ方向および部分Ａ’のＸ’方向で見た時、近用度数よりも近用へと度数を強めた後に近用度数に至るまで度数を弱めた形状を有する。ここで言う部分Ａおよび部分Ａ’とは、中間部内において例えば部分ＡをＸ方向に見た時だと度数が増加した後に近用度数以上に増加（好ましくは度数が単調増加）した後、再び近用度数に至るまで度数が減少（好ましくは度数が単調減少）する部分のことを指す。
【０１２３】
本実施形態のレンズならば、具体的に言うと、図１９に示すように、径方向で見た時、中間部を通過して近用部に至っても、中間部で生じたシリンダーパワーが速やかに減少する。その結果、中間部の外縁の近用部においてシリンダーパワーが小さな領域を広く確保でき、中間部の外縁の近用部における見え方が良くなる。
【０１２４】
本実施形態のレンズにおいては、Ｘ方向およびＸ’方向で見た時にシリンダーパワー（単位：ディオプター）が以下の各条件を満たすのが好ましい。
＜条件１−２＞
（前記部分Ａにおいて前記近用度数よりも近用へと度数を強めた後に度数を弱めて前記近用度数に到達したときのシリンダーパワー（図１９中の矢印β））≦０．３０Ｄ（好ましくは≦０．２５Ｄ、より好ましくは≦０．２０Ｄ、更に好ましくは≦０．１５Ｄ）
＜条件２−２＞
（前記部分Ａ’において前記近用度数よりも近用へと度数を強めた後に度数を弱めて前記近用度数に到達したときのシリンダーパワー（図１９中の矢印β’））／（前記中間部における最大シリンダーパワー（図１９中の矢印α’））≦０．３０Ｄ（好ましくは≦０．２５Ｄ、より好ましくは≦０．２０Ｄ、更に好ましくは≦０．１５Ｄ）
前記各条件を満たせば、中間部の外縁の近用部において、シリンダーパワーが絶対値として小さな領域を確実に広く確保できる。
【０１２５】
前記条件１−２および条件２−２を、以下の条件１’−２および条件２’−２に置き換えまたは前記条件１−２および条件２−２に追加しても構わない。
＜条件１’−２＞
（前記部分Ａにおいて前記近用度数よりも近用へと度数を強めた後に度数を弱めて前記近用度数に到達したときのシリンダーパワー（図５中の矢印β））／（前記中間部における最大シリンダーパワー（図５中の矢印α））≦０．３０（好ましくは≦０．２５、より好ましくは≦０．２０、更に好ましくは≦０．１５）
＜条件２’−２＞
（前記部分Ａ’において前記近用度数よりも近用へと度数を強めた後に度数を弱めて前記近用度数に到達したときのシリンダーパワー（図５中の矢印β’））／（前記中間部における最大シリンダーパワー（図５中の矢印α’））≦０．３０（好ましくは≦０．２５、より好ましくは≦０．２０、更に好ましくは≦０．１５）
前記各条件を満たせば、レンズの中央から周辺に向かって（すなわちＸ方向およびＸ’方向で）見た時に、中間部に生じたシリンダーパワーが確実に速やかに減少することになる。
【０１２６】
なお、部分Ａにおいて度数が極大となる箇所は１か所のみであるのが好ましく、且つ、部分Ａ’においても度数が極大となる箇所は１か所のみであるのが好ましい。この規定により、度数プロットで見たときに多数の小さな凸部分を設けなくて済み、レンズ設計を複雑化せずに済む。ただ、前記規定は必須ではなく、例えば２、３か所の極大となる箇所を設けても構わない。
【０１２７】
また、部分Ａにおいて度数が極大となる（最外縁側の）箇所と、部分Ａ’において度数が極大となる（最外縁側の）箇所との間の平面視距離Ｌは２．０〜５．０ｍｍであるのが好ましい。下限は、より好ましくは２．２ｍｍであり、上限は、より好ましくは４．８ｍｍである。この規定により、度数の増加後減少させる位置を確実に適切なものとし、具体的な寸法を基にシリンダーパワーの小さい近用部を確保できる。ただ、前記数値範囲は必須ではなく、レンズの種類に応じて適宜平面視距離Ｌを設定しても構わない。
【０１２８】
また、近用度数と遠用度数との差に対する、部分Ａおよび部分Ａ’における度数の極大値と近用度数との差の割合は、０．１５以上且つ１．０以下であるのが好ましい。各々の下限は、より好ましくは０．２５、更に好ましくは０．３０、非常に好ましくは０．４０であり、上限は、より好ましくは０．９０、更に好ましくは０．８０、非常に好ましくは０．７０である。この規定により、中間部にて意図的に歪を十分に設けることが可能となり、遠用部のみならず、外縁にある近用部のシリンダーパワーをゼロに近くできる。ただ、前記数値範囲は必須ではなく、状況に応じて上記の差を適宜設定しても構わないし、部分Ａと部分Ａ’とで上記の差の割合が異なっていてももちろん構わない。
【０１２９】
なお、本実施形態においては中間部における度数の増減の挙動に大きな特徴がある。そのため、外縁の近用部の度数プロット、更には中央の遠用部の度数プロットについては特に限定されるものではない。
【０１３０】
例えば、Ｘ方向で見た時に、中間部における前記度数変化を経て近用度数へと至った後、図１８に示すように度数が一定となる以外に、度数が増加し続けたり度数が減少し続けたりするという度数プロットを有しても構わない。但し、近用部は、近方距離を見るための近用度数を備えた部分であるため、過度の度数変化は好ましくなく、近用度数から±０．５０Ｄ（好ましくは±０．２５Ｄ）の範囲内とするのが好ましい。
【０１３１】
中央の遠用部についても同様、遠用度数に比べて度数が増加したり減少したりという度数プロットを有しても構わない。但し、遠用部は近方距離より遠い所定の距離を見るための遠用度数を備えた部分であるため、過度の度数変化は好ましくなく、近用度数から±０．５０Ｄ（好ましくは±０．２５Ｄ）の範囲内とするのが好ましい。更に、遠用部において遠用度数よりも度数が増加すると、前記遠方距離を見るための度数が合わないこととなり好ましくない。そのため、遠用度数から−０．５０Ｄ（好ましくは−０．２５Ｄ）の範囲内とするのが更に好ましい。また、遠用部において遠用度数を十分確保すべく、光学中心ＯからＸ方向およびＸ’方向に見た時、遠用度数よりも遠用へと度数を強めた形状を遠用部に備えさせてもよい。
【０１３２】
なお、中央に遠用部を設け、中間部を挟んで周縁の近用部、その更に周縁に環状の遠用部または更に前記近用部よりも近い距離を見るための第２近用部を設ける場合も、本発明は排除しない。なお、この例において、環状の近用部と、前記中間部とは別の環状の第２中間部を挟んで周縁の環状の第２近用部とが本実施形態の特徴を備える場合、前記特徴で述べた「中央寄りの遠用部」がこの「環状の近用部」に該当し、前記特徴で述べた「環状の近用部」がこの「環状の第２近用部」に該当する。
つまり本明細書における「中央寄りの遠用部」とは、光学中心Ｏを含むように遠用部が中央に配置された場合も含むし、光学中心Ｏは含まないが中央寄りに遠用部が環状に配置された場合も含む。
【０１３３】
なお、本実施形態のレンズは、前記各構成によって近用部において広い範囲で低シリンダーパワーを実現できる。具体的には、レンズに対して直線Ｘ−Ｘ’を光学中心Ｏを中心に０から１８０°まで回転させたときに、近用部においてシリンダーパワーが０．５０Ｄ以下の部分が８０面積％以上であるのが好ましく、９０面積％以上がより好ましく、９５面積％以上が更に好ましい。
【０１３４】
また、度数プロットの代わりに前面の形状（曲率）にて遠用部を規定する場合についても、先ほど中央に近用部を配する場合にて述べたのと原理は同様であり、近用部と遠用部とを入れ替え、極小を極大と置き換え、「（曲率を）減少させた後に増加」を「（曲率を）増加させた後に減少」と置き換えればよい。
【０１３５】
１−２．その他のコンタクトレンズ
本実施形態においてはマルチフォーカルコンタクトレンズを例示したが、それ以外のコンタクトレンズにも本発明の技術的思想を適用することが可能である。
【０１３６】
例えば、マルチフォーカルトーリックコンタクトレンズにおいても、トーリック形状だからといって上記のような度数の挙動は妨げられない。なぜならトーリックコンタクトレンズだとレンズの一面に一様な曲率差（径方向と周方向との曲率差）が設けられるのであり、本発明の知見として述べた、中間部にて周方向の曲率が径方向の曲率に近づかせることに何ら支障はないためである。そのため、トーリックコンタクトレンズであっても本発明の技術的思想を適用することが可能である。
【０１３７】
なお、先に説明した部分ＡおよびＡ’を備える本実施形態のレンズは、ソフトコンタクトレンズであってもハードコンタクトレンズであっても適用可能であるが、角膜上での配置がほとんど動かないソフトコンタクトレンズだと、十分な光学性能および装用者への顧客満足を提供する点でより好ましい。
【０１３８】
また、本実施形態のレンズに対し、近視進行抑制効果を備えさせてもよい。このレンズを近視進行抑制レンズと称する。近視進行抑制効果は、眼球に入射する光を網膜の手前（網膜から見て物体側の方向）にて収束させることにより近視進行抑制効果が得られる。
【０１３９】
この近視進行抑制効果は、例えば、中心遠用のレンズにて実現可能である。具体的には、中央の遠用部は処方値が反映された形状を有しつつ、中間部を挟んでその外縁には、遠用部よりも度数が高い近用部（光を網膜の手前に収束）を設けてもよい。
【０１４０】
逆に、この近視進行抑制効果は、中心近用のレンズでも実現可能である。具体的には、中央の近用部では光を網膜の手前に収束させつつ、中間部を挟んでその外縁には、近用部よりも度数が低いすなわち処方値が反映された形状を有する遠用部を設けてもよい。
【０１４１】
つまり、近視進行抑制効果を備えさせたレンズの場合、レンズ内に同心円状に配置されるいずれかの領域のうちいずれかの領域の形状が装用者の処方値を反映していれば、本発明の効果を奏する。本実施形態の特徴を備えた円環状の中間部からみて中心寄りおよび外縁寄りの遠用部および近用部（特に近用部）は、必ずしも装用者の処方値が反映された形状でなくともよい。本明細書における“近方距離に対応する近用度数”とは、これまで使用してきた表現“近方距離を見るための近用度数”すなわち装用者の処方値に対応する度数も含むし、網膜の手前に光を収束させるものも含む。誤解が生じない表現にするのならば、“近方距離に対応する度数”と称してもよい。
【０１４２】
以上の結果、本実施形態の各例によれば、レンズの中央から周辺に向かって見た時に、中間部に生じたシリンダーパワーを速やかに減少させ、中間部の外縁の遠用部または近用部のシリンダーパワーを小さくすることが可能となり、ひいては中間部の外縁の遠用部または近用部においてシリンダーパワーが小さな領域を広く確保することが可能となる。
【０１４３】
＜２．コンタクトレンズの設計方法（製造方法）＞
上記の内容は、コンタクトレンズの設計方法や製造方法においても十分に適用可能である。例えば設計方法については以下の構成となる。
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズの設計方法であって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有するように眼用レンズを設計する、眼用レンズの設計方法。」
【０１４４】
なお、具体的な設計手法に関してであるが公知のレンズの設計方法や設計装置にて設計を行えば足りる。また、＜１．コンタクトレンズ＞にて述べた場合分け（中央に近用部を配する場合と遠用部を配する場合）および各好適例は本項目に適用可能であり、＜１．コンタクトレンズ＞の記載と重複してしまうため、ここでは記載を省略する。
【０１４５】
また、製造方法に関してであるが、上記の眼用レンズの設計方法（場合によっては各好適例を適宜組み合わせる）によって眼用レンズを設計する設計工程と、設計された眼用レンズを加工装置により製造する加工工程と、を有する。なお、具体的な加工手法に関してであるがこれも公知のレンズの加工装置を用いて加工を行えば足りる。
【０１４６】
＜３．眼内レンズ（ＩＯＬ）およびその設計方法（製造方法）＞
本発明の技術的思想は、眼内レンズ（ＩＯＬ）およびその設計方法（製造方法）においても十分に適用可能である。眼内レンズとしては特に限定は無く、水晶体嚢内に配置する形式（イン  ザ  バッグ）の眼内レンズや、嚢外に配置する形式（アウト  ザ  バッグ）の眼内レンズや、縫着型の眼内レンズ等々に適用可能である。
【０１４７】
なお、本発明の技術的思想を眼内レンズに適用する場合、少なくとも光学部があればよい。なお、＜１−１．マルチフォーカルコンタクトレンズ（多焦点レンズ）＞で述べたのと同様に、光学性能に主として寄与する光学部の周縁に環状の周辺部を設けても構わないが、ここで挙げる本例の眼内レンズは、光学部と、水晶体嚢内にて光学部を支持する支持部とで構成される。比較的多いケースとしては、眼内レンズが、上記の光学部と、光学部から延在する支持部とを備える場合である。支持部については公知の眼内レンズの支持部の形状を採用すればよいが、例えば光学部から腕状に延在する２本の支持部を光学部に設け、これを眼内レンズとしても構わない。
【０１４８】
なお、眼内レンズの設計方法（製造方法）についてであるが、光学部の設計は＜２．コンタクトレンズの設計方法（製造方法）＞で述べたのと同様であることから記載を省略する。具体的な設計（製造）手法に関してであるが公知の眼内レンズの設計方法（加工装置）にて設計を行えば足りる。また、＜１．コンタクトレンズ＞にて述べた場合分け（中央に近用部を配する場合と遠用部を配する場合）および各好適例は本項目に適用可能であり、＜１．コンタクトレンズ＞の記載と重複してしまうため、ここでは記載を省略する。
【０１４９】
＜４．眼用レンズセット＞
上記の内容は、本実施形態にて例示したコンタクトレンズを複数備えるコンタクトレンズセットや、同じく本実施形態にて例示した眼内レンズを複数備える眼内レンズセットにおいても十分に適用可能である。これらのレンズセットを総称して「眼用レンズセット」と称する。
【０１５０】
少なくともコンタクトレンズを製品として販売する際には、１枚のコンタクトレンズを販売するのみならず、多種多様な度数（パワー）やベースカーブを有する複数のコンタクトレンズをひとまとめにして（例：同じベースカーブを有する一方で度数が異なる複数のコンタクトレンズ）一商品名として頻繁に販売されている。
【０１５１】
そこで、先に詳述した本実施形態のコンタクトレンズ（または眼内レンズ等）のような度数の挙動を示すものを複数揃えた眼用レンズセットに関しても、本発明の技術的思想が十分に反映されている。
見方を変えると、本実施形態における眼用レンズセットを構成するすべての眼用レンズセットが先に述べた度数の挙動を示す。これは、従来技術において上記の度数の挙動を示す眼用レンズが１枚作製されたとしても、偶々作製されたこの眼用レンズと、本実施形態における眼用レンズセットとでは、構成として全く相違することを意味する。
【０１５２】
上記の眼用レンズを複数備える眼用レンズセットの構成は以下のとおりである。なお、以下の構成に対し、先に挙げた好適例を適宜組み合わせてもよい。
【０１５３】
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズを複数備える眼用レンズセットであって、
前記中間部において、中央から周辺に向かうＸ方向で見た時に、前記中間部の外縁に環状に配された、前記遠用部の遠用度数または前記近用部の近用度数よりも度数を強めた後に弱めた部分Ａを有し、且つ、Ｘ方向とは正反対の方向であって中央から周辺に向かうＸ’方向で見た時にも、前記中間部の外縁に環状に配された、前記遠用部の遠用度数または前記近用部の近用度数よりも度数を強めた後に弱めた部分Ａ’を有する眼用レンズを複数備える、眼用レンズセット。」
【０１５４】
＜５．変形例＞
本発明は上記の各例に限定されることはなく、上記の各例および好適例を適宜組み合わせてももちろん構わない。
【０１５５】
また、先に挙げた実施形態だと、Ｘ方向にもＸ’方向にも、度数を強めた後に弱めた部分を有するが、一方にのみ該部分を有しても本発明の効果を多少なりとも奏することが期待される。この内容を規定すると以下のようになる。
「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズであって、
前記光学部の中央の外縁に環状に配された前記遠用部または前記近用部において、中央から周辺に向かうＸ方向で見た時に度数を強めた後に弱めた部分Ａを有し且つＸ方向とは正反対の方向であって中央から周辺に向かうＸ’方向で見た時には度数の変曲点が存在する、眼用レンズまたはその設計方法、製造方法。」
ちなみにここでＸ’方向で度数の変曲点を存在させている理由としては、Ｘ’方向にて度数を強めた後に弱めたまでは行かないにしてもそれに近い形状がある方が本発明の効果を奏しやすくなるためである。そして該それに近い形状を規定したものが“度数の変曲点が存在”という表現である。
【０１５６】
また、本発明の知見として説明したように、先に説明した各構成により、外縁の遠用部または外縁の近用部に至るまでに、周方向の曲率を径方向の曲率に近づかせることが可能となる。この点に焦点を当てた場合であっても本発明の効果を奏する。この点に焦点を当てた発明は以下の構成となる。「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズであって、
前記中間部において、中央から周辺に向かうＸ方向に向かって見た時、周方向の曲率を径方向の曲率に近づかせ、且つ、Ｘ方向とは正反対の方向であって中央から周辺に向かうＸ’方向に向かって見た時も、周方向の曲率を径方向の曲率に近づかせた、眼用レンズ。」
【０１５７】
また、本発明の知見として説明したように、先に説明した各構成により、レンズの中央から周辺に向かって（Ｘ方向およびＸ’方向で）見た時に、中間部に生じたシリンダーパワーを確実に速やかに減少させることが可能となる。この点に焦点を当てた場合であっても本発明の効果を奏する。この点に焦点を当てた発明は以下の構成となる。「近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部または前記遠用部が中央に配され、中央に配されなかったものが前記中間部の外縁に環状に配された光学部を備えた眼用レンズであって、
前記光学部において前記遠用部が前記中間部の外縁に環状に配される場合は、中央から周辺に向かうＸ方向に向かって見た時およびＸ方向とは正反対の方向であって中央から周辺に向かうＸ’方向に向かって見た時、シリンダーパワー（単位：ディオプター）が以下の条件１を満たし、
＜条件１＞
（前記中間部において前記遠用度数よりも遠用へと度数を強めた後に度数を弱めて遠用度数に到達したときのシリンダーパワー）≦０．３０Ｄ
前記光学部において前記近用部が前記中間部の外縁に環状に配される場合は、前記Ｘ方向および前記Ｘ’方向で見た時、シリンダーパワーが以下の条件２を満たす、眼用レンズ。
＜条件２＞
（前記中間部において前記近用度数よりも近用へと度数を強めた後に度数を弱めて近用度数に到達したときのシリンダーパワー）≦０．３０Ｄ」
前記構成の条件１および条件２を、以下の条件１’および条件２’に置き換えまたは条件１および２に追加しても構わない。
＜条件１’＞
（前記中間部において前記遠用度数よりも遠用へと度数を強めた後に度数を弱めて遠用度数に到達したときのシリンダーパワー）／（前記中間部における最大シリンダーパワー）≦０．３０
＜条件２’＞
（前記中間部において前記近用度数よりも近用へと度数を強めた後に度数を弱めて近用度数に到達したときのシリンダーパワー）／（前記中間部における最大シリンダーパワー）≦０．３０
【符号の説明】
【０１５８】
１………近用部
２………遠用部
３………中間部
４………光学部
５………周辺部
６………マルチフォーカルコンタクトレンズ
【図１】
2020060707.tif 000003
【図２】
2020060707.tif 000004
【図３】
2020060707.tif 000005
【図４】
2020060707.tif 000006
【図５】
2020060707.tif 000007
【図６】
2020060707.tif 000008
【図７】
2020060707.tif 000009
【図８】
2020060707.tif 000010
【図９】
2020060707.tif 000011
【図１０】
2020060707.tif 000012
【図１１】
2020060707.tif 000013
【図１２】
2020060707.tif 000014
【図１３】
2020060707.tif 000015
【図１４】
2020060707.tif 000016
【図１５】
2020060707.tif 000017
【図１６】
2020060707.tif 000018
【図１７】
2020060707.tif 000019
【図１８】
2020060707.tif 000020
【図１９】
2020060707.tif 000021
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部が中央に配され、前記遠用部が前記中間部の外縁に環状に配された光学部を備えた眼用レンズであって、
前記眼用レンズはコンタクトレンズまたは眼内レンズであり、
前記中間部において、中央から周辺に向かうＸ方向で見た時に、前記中間部の外縁に環状に配された前記遠用部の遠用度数よりも度数を強めた後に遠用度数に至るまで弱めた部分Ａを有し、且つ、Ｘ方向とは正反対の方向であって中央から周辺に向かうＸ’方向で見た時にも、前記中間部の外縁に環状に配された前記遠用部の遠用度数よりも度数を強めた後に遠用度数に至るまで弱めた部分Ａ’を有し、
Ｘ方向およびＸ’方向で見た時にシリンダーパワー（単位：ディオプター）が以下の各条件を満たす、眼用レンズ。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
但し、前記部分Ａにおける最小値であって極小値がＸ−Ｘ’方向の所定の範囲にて一定となる場合および前記部分Ａ’における最小値であって極小値がＸ−Ｘ’方向の所定の範囲にて一定となる場合は除く。
【請求項２】
前記近用度数と前記遠用度数との差に対する、前記部分Ａおよび前記部分Ａ’における度数の極小値と前記遠用度数との差の割合は、０．１５以上且つ１．０以下である、請求項１に記載の眼用レンズ。
【請求項３】
前記部分Ａにおいて度数が極小となる箇所は１か所且つ前記部分Ａ’において度数が極
小となる箇所は１か所である、請求項１または２に記載の眼用レンズ。
【請求項４】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記遠用部が中央に配され、前記近用部が前記中間部の外縁に環状に配された光学部を備えた眼用レンズであって、
前記眼用レンズはコンタクトレンズまたは眼内レンズであり、
前記中間部において、中央から周辺に向かうＸ方向で見た時に、前記中間部の外縁に環状に配された前記近用部の近用度数よりも度数を強めた後に近用度数に至るまで弱めた部分Ａを有し、且つ、Ｘ方向とは正反対の方向であって中央から周辺に向かうＸ’方向で見た時にも、前記中間部の外縁に環状に配された前記近用部の近用度数よりも度数を強めた後に近用度数に至るまで弱めた部分Ａ’を有し、
前記近用度数と前記遠用度数との差に対する、前記部分Ａおよび前記部分Ａ’における度数の極大値と前記近用度数との差の割合は、０．１５以上且つ１．０以下であり、
Ｘ方向およびＸ’方向で見た時にシリンダーパワー（単位：ディオプター）が以下の各条件を満たす、眼用レンズ。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【請求項５】
中央に配された前記近用部または前記遠用部は、前記眼用レンズの光学中心を含むように設けられた、請求項１〜４のいずれかに記載の眼用レンズ。
【請求項６】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部が中央に配され、前記遠用部が前記中間部の外縁に環状に配された光学部を備えた眼用レンズの設計方法であって、
前記眼用レンズはコンタクトレンズまたは眼内レンズであり、
前記中間部において、中央から周辺に向かうＸ方向で見た時に、前記中間部の外縁に環状に配された前記遠用部の遠用度数よりも度数を強めた後に遠用度数に至るまで弱めた部分Ａを有し、且つ、Ｘ方向とは正反対の方向であって中央から周辺に向かうＸ’方向で見た時にも、前記中間部の外縁に環状に配された前記遠用部の遠用度数よりも度数を強めた後に遠用度数に至るまで弱めた部分Ａ’を有するように眼用レンズを設計し、
Ｘ方向およびＸ’方向で見た時にシリンダーパワー（単位：ディオプター）が以下の各条件を満たす、眼用レンズの設計方法。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
但し、前記部分Ａにおける最小値であって極小値がＸ−Ｘ’方向の所定の範囲にて一定となる場合および前記部分Ａ’における最小値であって極小値がＸ−Ｘ’方向の所定の範囲にて一定となる場合は除く。
【請求項７】
前記近用度数と前記遠用度数との差に対する、前記部分Ａおよび前記部分Ａ’における度数の極小値と前記遠用度数との差の割合を、０．１５以上且つ１．０以下とする、請求項６に記載の眼用レンズの設計方法。
【請求項８】
前記部分Ａにおいて度数が極小となる箇所は１か所且つ前記部分Ａ’において度数が極
小となる箇所は１か所である、請求項６または７に記載の眼用レンズの設計方法。
【請求項９】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記遠用部が中央に配され、前記近用部が前記中間部の外縁に環状に配された光学部を備えた眼用レンズの設計方法であって、
前記眼用レンズはコンタクトレンズまたは眼内レンズであり、
前記中間部において、中央から周辺に向かうＸ方向で見た時に、前記中間部の外縁に環状に配された前記近用部の近用度数よりも度数を強めた後に近用度数に至るまで弱めた部分Ａを有し、且つ、Ｘ方向とは正反対の方向であって中央から周辺に向かうＸ’方向で見た時にも、前記中間部の外縁に環状に配された前記近用部の近用度数よりも度数を強めた後に近用度数に至るまで弱めた部分Ａ’を有するように眼用レンズを設計し、
前記近用度数と前記遠用度数との差に対する、前記部分Ａおよび前記部分Ａ’における度数の極大値と前記近用度数との差の割合を、０．１５以上且つ１．０以下とし、
Ｘ方向およびＸ’方向で見た時にシリンダーパワー（単位：ディオプター）が以下の各条件を満たす、眼用レンズの設計方法。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ
【請求項１０】
中央に配された前記近用部または前記遠用部は、前記眼用レンズの光学中心を含むように設けられた、請求項６〜９のいずれかに記載の眼用レンズの設計方法。
【請求項１１】
請求項６〜１０のいずれかに記載の眼用レンズの設計方法によって眼用レンズを設計する設計工程と、
設計された眼用レンズを加工装置により製造する加工工程と、
を有する、眼用レンズの製造方法。
【請求項１２】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記近用部が中央に配され、前記遠用部が前記中間部の外縁に環状に配された光学部を備えた眼用レンズを複数備える眼用レンズセットであって、
前記眼用レンズはコンタクトレンズまたは眼内レンズであり、
前記中間部において、中央から周辺に向かうＸ方向で見た時に、前記中間部の外縁に環状に配された前記遠用部の遠用度数よりも度数を強めた後に遠用度数に至るまで弱めた部分Ａを有し、且つ、Ｘ方向とは正反対の方向であって中央から周辺に向かうＸ’方向で見た時にも、前記中間部の外縁に環状に配された前記遠用部の遠用度数よりも度数を強めた後に遠用度数に至るまで弱めた部分Ａ’を有する眼用レンズを複数備え、
Ｘ方向およびＸ’方向で見た時にシリンダーパワー（単位：ディオプター）が以下の各条件を満たす、眼用レンズセット。
＜条件１−１＞
（前記部分Ａにおいて前記遠用度数よりも遠用へと度数を強めた後に度数を弱めて前記遠用度数に到達したときのシリンダーパワー）≦０．３０Ｄ
＜条件２−１＞
（前記部分Ａ’において前記遠用度数よりも遠用へと度数を強めた後に度数を弱めて前記遠用度数に到達したときのシリンダーパワー）≦０．３０Ｄ
但し、前記部分Ａにおける最小値であって極小値がＸ−Ｘ’方向の所定の範囲にて一定となる場合および前記部分Ａ’における最小値であって極小値がＸ−Ｘ’方向の所定の範囲にて一定となる場合は除く。
【請求項１３】
近方距離に対応する近用度数を備えた近用部と、近方距離よりも遠くの距離に対応する遠用度数を備えた遠用部と、前記近用部と前記遠用部との間を繋ぐ環状の中間部と、を有し、前記遠用部が中央に配され、前記近用部が前記中間部の外縁に環状に配された光学部を備えた眼用レンズを複数備える眼用レンズセットであって、
前記眼用レンズはコンタクトレンズまたは眼内レンズであり、
前記中間部において、中央から周辺に向かうＸ方向で見た時に、前記中間部の外縁に環状に配された、前記近用部の近用度数よりも度数を強めた後に近用度数に至るまで弱めた部分Ａを有し、且つ、Ｘ方向とは正反対の方向であって中央から周辺に向かうＸ’方向で見た時にも、前記中間部の外縁に環状に配された前記近用部の近用度数よりも度数を強めた後に近用度数に至るまで弱めた部分Ａ’を有する眼用レンズを複数備え、
前記近用度数と前記遠用度数との差に対する、前記部分Ａおよび前記部分Ａ’における度数の極大値と前記近用度数との差の割合を、０．１５以上且つ１．０以下とし、
Ｘ方向およびＸ’方向で見た時にシリンダーパワー（単位：ディオプター）が以下の各条件を満たす、眼用レンズセット。
＜条件１−２＞
（前記部分Ａにおいて前記近用度数よりも近用へと度数を強めた後に度数を弱めて前記近用度数に到達したときのシリンダーパワー）≦０．３０Ｄ
＜条件２−２＞
（前記部分Ａ’において前記近用度数よりも近用へと度数を強めた後に度数を弱めて前記近用度数に到達したときのシリンダーパワー）≦０．３０Ｄ